(57)【要約】【課題】  意匠性を損なわず、化粧パネルの吹出口の位置を変更することができると共に、送風の騒音値も抑えた天井埋込型空気調和装置を提供する。【解決手段】  第１吹出口４ａの長辺側寸法または短辺側寸法のいずれか一方を第２吹出口４ｂの長辺側寸法または短辺側寸法の略２倍の寸法として開口させると共に、前記第２吹出口４ｂの長辺側寸法および短辺側寸法と略同寸法となる遮へいカバー２０を前記第１吹出口４ａの前記開口に重なるように取り付けておく。【選択図】      図３
2005207698.tif 000002
【特許請求の範囲】
【請求項１】
遠心送風機と、この遠心送風機の周囲に配置された熱交換器と、この熱交換器の下面を覆うドレンパンとを筐体の内部に収容し、この筐体の開口部に化粧パネルを配置し、この化粧パネルの吸込口から吸い込んだ空気を、当該化粧パネルの側縁に沿って形成された吹出口から吹き出す天井埋込型空気調和装置において、
前記筐体をほぼ正方形に形成し、前記筐体内には各側面に沿って夫々吹き出し空間を形成すると共に、この吹き出し空間へ連通可能に構成される前記吹出口を備える前記化粧パネルを設け、この化粧パネルは、当該化粧パネルの対向する辺に第１吹出口と第２吹出口とを夫々備え、前記第１吹出口は、長辺側或いは短辺側のいずれか一方の寸法を前記第２吹出口の開口寸法の略２倍の寸法とし、他方を前記第２吹出口の開口寸法と同寸法とした開口部を備え、この開口部へ前記第２吹出口の開口寸法と略同等の面積を覆う着脱可能な遮へいカバーを設けて、前記開口部の略半分を覆い構成することを特徴とする天井埋込型空気調和装置。
【請求項２】
前記第１吹出口は、短辺側の寸法を前記第２吹出口の開口寸法の略２倍の寸法とし、長辺側の寸法を前記第２吹出口の開口寸法と同寸法とした前記開口部を備え、前記遮へいカバーは、前記第１吹出口の一方の長辺側に隣接して設けられていることを特徴とする請求項１に記載の天井埋込型空気調和装置。
【請求項３】
前記第１吹出口は、長辺側の寸法を前記第２吹出口の開口寸法の略２倍の寸法とし、短辺側の寸法を前記第２吹出口の開口寸法と同寸法とした前記開口部を備え、前記遮へいカバーは、前記第２吹出口の開口寸法の長辺側寸法の略半分の寸法で分割され、前記第１吹出口の両短辺側に隣接して設けられていることを特徴とする請求項１に記載の天井埋込型空気調和装置。
【請求項４】
前記遮へいカバーを設けられた前記第１吹出口の開口寸法と、前記第２吹出口の開口寸法とは、略同寸法であり、前記遮へいカバーは、前記化粧パネルの下面から着脱可能であることを特徴とする請求項１乃至請求項３のいずれかに記載の天井埋込型空気調和装置。
【請求項５】
前記第１吹出口および前記第２吹出口の縁部には、前記遮へいカバーを取り付ける取付機構を備えていることを特徴とする請求項１乃至請求項４のいずれかに記載の天井埋込型空気調和装置。
【請求項６】
前記化粧パネルは、その中央に前記吸込口が設けられ、前記第１吹出口および前記第２吹出口は、前記化粧パネルの各縁部に沿って設けられていることを特徴とする請求項１乃至請求項５のいずれかに記載の天井埋込型空気調和装置。
【請求項７】
前記第１吹出口と前記第２吹出口とは、前記化粧パネルの対向する縁部に沿って、夫々配設されていることを特徴とする請求項１乃至請求項６のいずれかに記載の天井埋込型空気調和装置。
【発明の詳細な説明】
【技術分野】
【０００１】
本発明は、天井裏に埋め込まれるケーシングと、天井に露出してケーシングの開口を覆う化粧パネルとを有した天井埋込型空気調和装置に関する。
【背景技術】
【０００２】
一般に、遠心送風機の周囲に円形、もしくは多角形で当該送風機を囲むように熱交換器を配置し、送風機の下部から吸った室内空気を、熱交換器を通して熱交換し、この熱交換した空調空気を室内に吹出す形式の天井埋込型空気調和装置が知られている（例えば、特許文献１参照）。この種のものでは、天井裏に埋め込まれる筐体と、天井に露出して筐体の開口を覆う化粧パネルとを有し、この化粧パネルの４辺に吹出口（４方向カセット型）を備え、或いは対向する２辺に吹出口（２方向カセット型）を備えて構成される。
【０００３】
そして、上記化粧パネルの４辺に吹出口を備える４方向カセット型では、室内へ据え付けた場合、前記筐体内の熱交換器で熱交換させた室内空気を４方向へと吹出すことができるため、前記室内の温度ムラを抑えた空調を行い易いという長所がある。これに対し、オフィス等に複数台設置する場合には、前記オフィスの天井をすっきり見せようとするインテリアの意匠性から照明器具等と前記天井埋込型空気調和装置の吹出口とを同一ライン上に整然と並べることが望まれているため、不向きであると言った短所がある。
【０００４】
また、上記化粧パネルの対向する２辺に吹出口を備える２方向カセット型では、上記のように照明器具等のライン上へ整然と並べて設置する場合には、インテリアの意匠性を損なうことがないと言った長所を備えているが、上記４方向カセット型に比べ、前記熱交換器で熱交換させた室内空気を吹出す吹出口が対向する２辺にしか備えられていないため、上記４方向カセット型ほど、前記室内を均一に空調することが出来ないと言った短所があった。
【０００５】
さらに、この２方向カセット型の天井埋込型空気調和装置の筐体は、長方形の筐体を呈していたため、近年、オフィスに良く見られる簡易な天井板（ジプトーン約９００ｍｍ角）１枚をはずした正方形の開口部と前記天井埋込型空気調和装置の筐体の形状とが合わないと言う短所もあった。
【０００６】
このことから、最近では、上記２方向カセット型の天井埋込型空気調和装置も正方形の筐体を呈するものが開発され、さらに、この筐体下方の開口部へ、化粧パネルの４辺に吹出口を備えた４方向吹出し型の化粧パネルと、２辺に吹出口を備えた２方向吹出し型の化粧パネルとのいずれか一方を選択して取り付けて、上記２方向カセット型の天井埋込型空気調和装置、或いは、４方向カセット型の天井埋込型空気調和装置を構成するものが提案されている（特許文献１参照）。
【特許文献１】特願２００３−３５２３８９
【発明の開示】
【発明が解決しようとする課題】
【０００７】
しかし、この構成では、予め前記２方向吹出し型の化粧パネルか、前記４方向吹出し型の化粧パネルかのいずれかを選択決定しておなければならず、急な据付現場での施工変更に対しては、対応することが出来なかった。
【０００８】
また、前記オフィス内に書棚やロッカー等を配設したことにより、エアショートなどの空調障害が発生した場合にも、前記化粧パネルを交換しなければならず、労力および時間を要するものとなっていた。
【０００９】
このようなものとしては、従来、前記４方向吹出し型の化粧パネルの吹出口へと連通する通風経路内に貼付固定するウレタン等の遮風部材が用いられたりしていたが、前記化粧パネル表面に開口する前記吹出口はそのまま残されるため、意匠性は備われたものとなると共に、前記天井埋込型空気調和装置内に吸い込まれた室内空気は、前記遮風部材が設けられていない他の吹出口へと集中して吹き出されるため、送風時の騒音値も上昇するものとなっていた。
【００１０】
そこで、本発明の目的は、意匠性を損なわず、化粧パネルの吹出口の位置を変更することができると共に、送風の騒音値も抑えた天井埋込型空気調和装置を提供することにある。
【課題を解決するための手段】
【００１１】
本発明は、遠心送風機と、この遠心送風機の周囲に配置された熱交換器と、この熱交換器の下面を覆うドレンパンとを筐体の内部に収容し、この筐体の開口部に化粧パネルを配置し、この化粧パネルの吸込口から吸い込んだ空気を、当該化粧パネルの側縁に沿って形成された吹出口から吹き出す天井埋込型空気調和装置において、前記筐体をほぼ正方形に形成し、前記筐体内には各側面に沿って夫々吹き出し空間を形成すると共に、この吹き出し空間へ連通可能に構成される前記吹出口を備える前記化粧パネルを設け、この化粧パネルは、当該化粧パネルの対向する辺に第１吹出口と第２吹出口とを夫々備え、前記第１吹出口は、長辺側或いは短辺側のいずれか一方の寸法を前記第２吹出口の開口寸法の略２倍の寸法とし、他方を前記第２吹出口の開口寸法と同寸法とした開口部を備え、この開口部へ前記第２吹出口の開口寸法と略同等の面積を覆う着脱可能な遮へいカバーを設けて、前記開口部の略半分を覆い構成することを特徴とする。
【００１２】
この場合において、前記第１吹出口は、短辺側の寸法を前記第２吹出口の開口寸法の略２倍の寸法とし、長辺側の寸法を前記第２吹出口の開口寸法と同寸法とした前記開口部を備え、前記遮へいカバーは、前記第１吹出口の一方の長辺側に隣接して設けられている、或いは、前記第１吹出口は、長辺側の寸法を前記第２吹出口の開口寸法の略２倍の寸法とし、短辺側の寸法を前記第２吹出口の開口寸法と同寸法とした前記開口部を備え、前記遮へいカバーは、前記第２吹出口の開口寸法の長辺側寸法の略半分の寸法で分割され、前記第１吹出口の両短辺側に隣接して設けられていることを特徴とするものである。
【００１３】
また、前記遮へいカバーを設けられた前記第１吹出口の開口寸法と、前記第２吹出口の開口寸法とは、略同寸法であり、前記遮へいカバーは、前記化粧パネルの下面から着脱可能であり、前記第１吹出口および前記第２吹出口の縁部には、前記遮へいカバーを取り付ける取付機構を備えていることを特徴とするものである。
【発明の効果】
【００１４】
本発明では、前記筐体をほぼ正方形に形成し、前記筐体内には各側面に沿って夫々吹き出し空間を形成すると共に、この吹き出し空間へ連通可能に構成される吹出口を備える前記化粧パネルを設け、この化粧パネルは、当該化粧パネルの対向する辺に第１吹出口と第２吹出口とを夫々備え、前記第１吹出口は、当該第１吹出口の長辺側或いは短辺側のいずれか一方を前記第２吹出口の開口寸法の２倍の寸法とし、他方を前記第２吹出口と同寸法の開口部として設け、この開口部へ前記第２吹出口の開口寸法と略同等の面積を覆う着脱可能な遮へいカバーを設けて、前記開口部の略半分を覆うように構成しているので、前記第１吹出口の前記遮へいカバーを取り外し、前記第２吹出口へと取り付けることにより、容易に４方向カセット型の天井埋込型空気調和装置から２方向カセット型の天井埋込型空気調和装置へと変更することができ、急な据付現場の施工変更へ対応することができる。
【００１５】
この時、前記第２吹出口は前記遮へいカバーにより塞がれるが、第１吹出口の開口寸法は略２倍となるため、この第１吹出口から吹出される室内空気の騒音値が上昇することもない。
【発明を実施するための最良の形態】
【００１６】
以下、図面を参照して本発明の一実施の形態について説明する。
【００１７】
図１は、本実施形態による４方向吹出し型の天井埋込型空気調和装置１の断面図、図３は、同じく平面図である。
【００１８】
図１を参照して、この天井埋込型空気調和装置１は、天井内部に収納される板金製の筐体２と、この筐体２の下面に配置され、外周部の４辺に第１吹出口４ａおよび第２吹出口４ｂ（図３参照）および中央に開口された吸込口３を有し、天井孔５を塞ぐように天井面６に設けられた化粧パネル７とにより構成されている。８は化粧パネル７の吸込口３に設けられた吸込パネルであり、９は化粧パネル７の第１吹出口４ａおよび第２吹出口４ｂ（図３参照）の４つの吹出口にそれぞれ設けられた風向変更用のフラップである。
【００１９】
１１はターボファン１２と、天板１３に取り付けられたモータ１４とからなる遠心送風機、１５は吸込口３からの室内空気をターボファン１２に案内するノズル口、１６は熱交換器２１の下面を覆うように配置され、角張った環形状に発泡スチロールで形成されたドレンパン、２１はターボファン１２の吐出側にこのファンを取り囲むように環状に配置されたプレートフィン型の熱交換器である。
【００２０】
そして、２３は熱交換器２１で熱交換された空気を第１吹出口４ａおよび第２吹出口４ｂへ導く吹き出し空間、２４は筐体２を吊具で天井梁に吊下げるための吊下げボルト、２５は吸込グリル８の下流側に取り付けられたフィルタである。
【００２１】
板金製の筐体２は、図２に示すように、４辺２Ａ〜２Ｄの長さがほぼ等しい正方形の外観形状を呈し、その内部には、上記の送風機１１、ドレンパン１６及びプレートフィン型の熱交換器２１が、全ての側壁２Ａ〜２Ｄに沿い、上記の吹き出し空間２３Ａ〜２３Ｄを残して配置されている。
【００２２】
化粧パネル７は、筐体２と同様に、４辺７Ａ〜７Ｄの長さがほぼ等しい正方形の外観形状を呈している。この化粧パネル７の裏面（筐体２に対向する面）には、その内側に吸込口３を形成するための、ほぼ正方形状の張り出し部４１が形成され、この張り出し部４１の４辺の長さは、夫々筐体２の側壁２Ａ〜２Ｄの長さに等しく形成されている。化粧パネル７のほぼ中央には開口を有し、図１に示すように、この開口のほぼ中央には吸込グリル８およびフィルタ２５が設けられている。
【００２３】
図２を参照して、第１吹出口４ａは、化粧パネル７の対向する２辺７Ａ，７Ｃに沿って形成され、第２吹出口４ｂは、化粧パネル７の対向する２辺７Ｂ、７Ｄに沿って形成されている。前記第１吹出口４ａは、筐体２の側壁２Ａ、２Ｃに沿う、吹き出し空間２３Ａ、２３Ｃに夫々連通し、前記第２吹出口４ｂは、残りの側壁２Ｂ、２Ｄに沿う、吹き出し空間２３Ｂ，２３Ｄに夫々連通される。４５は化粧パネル７に設けられた連結ねじの貫通孔、４７はドレンパン１６に設けられた連結ねじ孔である。
【００２４】
筐体２の一つの側壁２Ｂには、液冷媒配管の接続口６１Ａと、ガス冷媒配管の接続口６１Ｂと、ドレン配管の接続口６３とがまとめて導出されている。空気調和装置１の施工時には、天井裏に吊りボルト２４によって筐体２を吊り下げた後、各接続口６１Ａ，６１Ｂ，６３に、室外機（図示せず）に接続される外部冷媒配管と、ドレンを排出するドレン排出ホースとが接続される。
【００２５】
化粧パネル７を裏面（前記筐体２側）から見ると、ほぼ正方形の外観形状を呈し、一方の対向する２辺７Ａ、７Ｃに沿って第１吹出口４ａが夫々形成され、他方の対向する２辺７Ｂ、７Ｄに沿って第２吹出口４ｂが夫々形成されており、この化粧パネル７の中央には、吸込口３が設けられている。そして、図３に示すように、夫々の第１吹出口４ａの一方の長辺側に隣接して、表面に前記化粧パネル７と同様の塗装処理等が施され、裏面を断熱処理された遮へいカバー２０が設けられており、この遮へいカバー２０は、四隅のネジ２２により化粧パネル７へ取り付けられている。なお、このネジ２２と、後述するネジ受け２６ａ〜２６ｃにより取付機構が構成されている。
【００２６】
ここで、第１吹出口４ａの実際の開口寸法は、図４に示す様に、長辺側が第２吹出口４ｂと略同寸法とされ、短辺側が第２吹出口４ｂの開口寸法Ｌの略２倍の寸法２Ｌとされた開口部となっており、前記遮へいカバー２０を、前記第１吹出口４ａの長辺側に隣接して取り付けることにより、この遮へいカバー２０を設けられた前記第１吹出口４ａの開口寸法と、前記第２吹出口４ｂの開口寸法とは、略同寸法となっている。逆に言えば、前記遮へいカバー２０は、前記第２吹出口４ｂの開口寸法と略同等の面積を覆う遮へいカバーとなっている。そのため、前記第１吹出口４ａの一方の長辺側の両隅部および短辺側の中央部には前記ネジ２を取り付けるネジ受け２６ａが、前記第２吹出口４ｂの四隅には前記ネジ２２を取り付けるネジ受け２６ｂが設けられて、前記遮へいカバー２０が着脱可能に取り付けられている。
【００２７】
このことから、前記天井埋込型空気調和装置１が、これまでの４方向吹出し型では、不都合が生じる場合、据え付け現場にて、図５に示すように、前記化粧パネル７の前記遮へいカバー２０を第１吹出口４ａから取り外し、第２吹出口４ｂへ化粧パネル７の表面から重ね、前記遮へいカバー２０の四隅をネジ２２により第２吹出口のネジ受け２６ｂへ取り付けることにより、当該第２吹出口４ｂを塞いで、容易に天井埋込型空気調和装置１を２方向吹出し型とすることができる。
【００２８】
また、この時、第２吹出口４ｂは、上述のように塞がれて開口はなくなり、当初、この第２吹出口４ｂから吹き出されていた室内空気は、一方の第１吹出口４ａから室内へ吹出されることとなるが、第１吹出口４ａは、前記遮へいカバー２０が無くなり、その短辺側の寸法が約２倍に拡大されるため、この第１吹出口から吹出される室内空気の騒音値が上昇してしまうことがない。
【００２９】
さらに、遮へいカバー２０の表面は、上述のように化粧パネル７と同様の塗装処理を施されているため、意匠性が損なわれることもない。
【００３０】
このような天井埋込型空気調和装置では、図６に示す天井埋込型空気調和装置３０と構成しても良い。
【００３１】
この場合、第１吹出口４ａの実際の開口寸法は、短辺側が第２吹出口４ｂと略同寸法とされ、長辺側が第２吹出口４ｂの開口寸法Ｗの略２倍の寸法２Ｗとされた開口部となっている。そして、上記遮へいカバー２０は、例えば、等分に分割され、遮へいカバー２０ａ、２０ｂとして、前記第１吹出口４ａの両短辺側へ隣接してネジ２２により取り付けられている。そして、上記遮へいカバー２０ａと遮へいカバー２０ｂとは、長手方向へ並べると、ちょうど第２吹出口４ｂの開口寸法に匹敵するものとなっている。
【００３２】
また、第１吹出口４ａの長辺側の寸法は、第２吹出口４ｂの長辺側の寸法の略２倍となっていることから、この第２吹出口４ｂの長辺側の寸法は、この第２吹出口４ｂが設けられている筐体２の側面２Ｂ、２Ｄの長さ寸法の半分以下となっており、第１吹出口４ａの長辺側の寸法は、この第２吹出口４ａが設けられている筐体２の側面２Ａ、２Ｃの長さ寸法以下となっている。さらに、第１吹出口４ａに設けられたフラップ９ａは、第１吹出口４ａの長辺側の寸法に対応した長さとなっており、第２吹出し４ｂに設けられたフラップ９ｂは、第２吹出口４ｂの長辺側の寸法に対応した長さとなっている。そして、第２吹出口４ｂの両長辺側の中央には、ネジ受け２６ｃが設けられ、四隅には、ネジ受け２６ｂが夫々設けられている。
【００３３】
そして、前記天井埋込型空気調和装置３０が、これまでの４方向吹出し型では、不都合が生じる場合、据え付け現場にて、図７に示すように、前記化粧パネル７の前記遮へいカバー２０ａ、２０ｂを第１吹出口４ａから取り外し、前記遮へいカバー２０ａ、２０ｂを長手方向に並べて第２吹出口４ｂへ化粧パネル７の表面から重ね、前記遮へいカバー２０ａ、２０ｂの夫々の四隅をネジ２２により第２吹出口のネジ受け２６ｂ、２０ｃへ取り付けることにより、当該第２吹出口４ｂを塞いで、容易に天井埋込型空気調和装置１を２方向吹出し型とすることができる。
【００３４】
また、この時、第２吹出口４ｂは、上述のように塞がれて開口はなくなり、当初、この第２吹出口４ｂから吹き出されていた室内空気は、一方の第１吹出口４ａから室内へ吹出されることとなるが、第１吹出口４ａは、前記遮へいカバー２０ａ、２０ｂが無くなり、その長辺側の寸法が約２倍に拡大されるため、この第１吹出口４ａから吹出される室内空気の騒音値が上昇してしまうことがない。
【００３５】
さらに、遮へいカバー２０ａ、２０ｂの表面は、化粧パネル７と同様の塗装処理を施されているため、意匠性が損なわれることもない。
【００３６】
なお、本実施の形態では、ネジ２２を取り付けるネジ受け２６ａ〜２６ｃを第１吹出口４ａ、第２吹出口４ｂの開口部へ突出して設けているものとして説明したが、この場合、ネジ受け２６ａ〜２６ｃは、前記第吹出口４ａおよび前記第２吹出口から吹き出される室内空気で騒音が発生しないように、ゆるやかに突出させることが望ましい。或いは、前記第１吹出口４ａおよび前記第２吹出口の開口部に突出させず、化粧パネル７表面で、これら吹出口の外周に設けるものとしても良い。
【００３７】
上述した実施形態は、あくまでも本発明の一態様にすぎず、本発明の範囲内で任意に変形可能である。
【図面の簡単な説明】
【００３８】
【図１】本発明の一実施形態を示す断面図である。
【図２】本発明の天井埋込型空気調和装置の分解斜視図である。
【図３】化粧パネルの正面図である。
【図４】第１吹出口の遮へいカバーを外した図である。
【図５】遮へいカバーで第２吹出口を閉塞した図である。
【図６】別の実施形態を示す化粧パネルの正面図である。
【図７】遮へいカバーで第２吹出口を閉塞した図である。
【符号の説明】
【００３９】
１  天井埋込型空気調和機
２  筐体
４ａ  第１吹出口
４ｂ  第２吹出口
７  化粧パネル
８  吸込グリル
９、９ａ、９ｂ  フラップ
１１  送風機
１６  ドレンパン
２０  遮へいカバー
２０ａ、２０ｂ  遮へいカバー
２２  ネジ
２１  熱交換器
２６ａ〜２６ｃ  ネジ受け
２３Ａ〜２３Ｄ  吹き出し空間
６１Ａ，６１Ｂ，６３  接続口
【図１】
2005207698.tif 000003
【図２】
2005207698.tif 000004
【図３】
2005207698.tif 000005
【図４】
2005207698.tif 000006
【図５】
2005207698.tif 000007
【図６】
2005207698.tif 000008
【図７】
2005207698.tif 000009